(57)【要約】【課題】本発明は、一定の強度があるが軽量であり、短期間で安全に設置・撤去が可能な安価な仮設防護柵の提供及びその施工方法を提供するものである。【解決手段】通行車両の路外逸脱を防止し、且つ、車両の衝突に耐えることのできる仮設防護柵において、鋼製部材を折り曲げ、ねじ止め又は溶接して設置部と防護側壁部を連続して設け、該設置部の下面側に摩擦抵抗の大きな接地部材を長手方向に取着してなることを特徴とする仮設防護柵。【選択図】図１
2019203372.tif 000002
【特許請求の範囲】
【請求項１】
通行車両の路外逸脱を防止し、且つ、車両の衝突に耐えることのできる仮設防護柵において、鋼製部材（鋼板又は溶接金網）を折り曲げ、ねじ止め又は溶接して設置部と防護側壁部を連続して設け、該設置部の下面側に摩擦抵抗の大きな接地部材を長手方向に取着してなることを特徴とする仮設防護柵。
【請求項２】
仮設防護柵の形状を断面略Ｌ字形状としたことを特徴とする請求項１記載の仮設防護柵。
【請求項３】
仮設防護柵の形状を断面略逆Ｕ字形状としたことを特徴とする請求項１記載の仮設防護柵。
【請求項４】
設置部を内方へ位置させた場合は、該設置部と防護側壁部との傾斜角度を７０度乃至８５度とし、該設置部を外方へ位置させた場合は、該設置部と該防護側壁部との傾斜角度を９５度乃至１１０度としたことを特徴とする請求項１乃至３のいずれか記載の仮設防護柵。
【請求項５】
摩擦抵抗の大きな接地部材を長手方向に断続的に取着してなることを特徴とする請求項１乃至４のいずれか記載の仮設防護柵。
【請求項６】
接地部材を長手方向において断続的に取着し、断続部分となる間隙を雨水排水路としてなることを特徴とする請求項５記載の仮設防護柵。
【請求項７】
防護側壁部を波状の形状としたことを特徴とする請求項１乃至６のいずれか記載の仮設防護柵。
【請求項８】
鋼製部材は、その厚さを５ｍｍ乃至５０ｍｍとしてなることを特徴とする請求項１乃至７のいずれか記載の仮設防護柵。
【請求項９】
設置部は、短手方向の長さを３００ｍｍ乃至８００ｍｍ、防護側壁部は、高さを５００ｍｍ乃至１，０００ｍｍとしてなることを特徴とする請求項１乃至８のいずれか記載の仮設防護柵。
【請求項１０】
接地部材は、厚さを５ｍｍ乃至２００ｍｍのゴム材としてなることを特徴とする請求項１乃至９のいずれか記載の仮設防護柵。
【請求項１１】
接地部材が、突起形状をしていることを特徴とする請求項１乃至９のいずれか記載の仮設防護柵。
【請求項１２】
突起形状物が、スパイクピン又は路面と接する側に凹凸構造を設けた構造体であることを特徴とする請求項１１記載の仮設防護柵。
【請求項１３】
接地部材は、ゴム材に突起形状物が埋め込まれている、又はゴム材に突起形状物が取り付けられていることを特徴とする請求項１１又は１２記載の仮設防護柵。
【請求項１４】
防護側壁部の端部に一方端側を突出させて固定した防護側壁部連結プレートを備え、該防護側壁部連結プレートはボルト又はピンの挿入口を有し、前記防護側壁部は、前記防護側壁部連結プレートが固定された端部と反対側の端部に、ボルト若しくはピンの挿入口を有する、又はボルト形状突起若しくはピン形状突起を有することを特徴とする請求項１乃至１３のいずれか記載の仮設防護柵。
【請求項１５】
防護側壁部の端部に一方端側を突出させて固定した防護側壁部連結プレートを備え、該防護側壁部連結プレートはボルト形状突起若しくはピン形状突起を有し、前記防護側壁部は、前記防護側壁部連結プレートが固定された端部と反対側の端部に、ボルト又はピンの挿入口を有することを特徴とする請求項１乃至１３のいずれか記載の仮設防護柵。
【請求項１６】
設置部の端部に一方端側を突出させて固定した設置部連結プレートを備え、該設置部連結プレートはボルト又はピンの挿入口を有し、前記設置部は、前記設置部連結プレートが固定された端部と反対側の端部に、ボルト若しくはピンの挿入口を有する、又はボルト形状突起若しくはピン形状突起を有することを特徴とする請求項１乃至１５のいずれか記載の仮設防護柵。
【請求項１７】
設置部の端部に一方端側を突出させて固定した設置部連結プレートを備え、該設置部連結プレートはボルト形状突起若しくはピン形状突起を有し、前記設置部は、前記設置部連結プレートが固定された端部と反対側の端部に、ボルト又はピンの挿入口を有することを特徴とする請求項１乃至１５のいずれか記載の仮設防護柵。
【請求項１８】
通行車両の路外逸脱を防止し、且つ、車両の衝突に耐えることのできる仮設防護柵において、鋼製部材（鋼板又は溶接金網）からなる防護側壁部とコンクリート部材からなる設置部とを設け、設置部の端部に一方端側を突出させて固定した設置部連結プレートを備える、又は設置部の端部に剛性突出部材よりなる凸部を形成した仮設防護柵であり、前記設置部連結プレートを備える場合は、該設置部連結プレートはボルト若しくはピンの挿入口、又はボルト形状突起若しくはピン形状突起を有し、前記設置部は、前記設置部連結プレートが固定された端部と反対側の端部に、ボルト形状突起若しくはピン形状突起、又はボルト若しくはピンの挿入口を有し、前記凸部を形成する場合は、前記凸部が形成された端部と反対側の端部に、該凸部が嵌合できる凹部を形成してなることを特徴とする仮設防護柵。
【請求項１９】
凹部の縦方向となる上下寸法は、該凹部の上端部がコンクリート部材の上面部に達するまでの長さとしてなることを特徴とする請求項１８記載の仮設防護柵。
【請求項２０】
凸部及び凹部が複数であり、該凹部は横方向となる幅寸法を該凸部の横寸法よりやや大きめとし、縦方向となる上下寸法は該凸部の縦寸法より２倍以上の長さとしてなることを特徴とする請求項１８又は１９記載の仮設防護柵。
【請求項２１】
防護側壁部の端部に一方端側を突出させて固定した防護側壁部連結プレートを備え、該防護側壁部連結プレートはボルト若しくはピンの挿入口、又はボルト形状突起若しくはピン形状突起を有し、前記防護側壁部は、前記防護側壁部連結プレートが固定された端部と反対側の端部に、ボルト形状突起若しくはピン形状突起、又はボルト若しくはピンの挿入口を有することを特徴とする請求項１８乃至２０のいずれか記載の仮設防護柵。
【請求項２２】
該設置部の下面側に摩擦抵抗の大きな接地部材を長手方向に取着してなることを特徴とする請求項１８乃至２１のいずれか記載の仮設防護柵。
【請求項２３】
接地部材は、厚さを５ｍｍ乃至２００ｍｍのゴム材としてなることを特徴とする請求項２２記載の仮設防護柵。
【請求項２４】
接地部材が、突起形状をしていることを特徴とする請求項２２記載の仮設防護柵。
【請求項２５】
突起形状物が、スパイクピン又は路面と接する側に凹凸構造を設けた構造体であることを特徴とする請求項２４記載の仮設防護柵。
【請求項２６】
接地部材は、ゴム材に突起形状物が埋め込まれている、又はゴム材に突起形状物が取り付けられていることを特徴とする請求項２４又は２５記載の仮設防護柵。
【請求項２７】
請求項１乃至１７記載の仮設防護柵を通行車両区域と工事区域との間に搬入設置し、同様の形状の他の仮設防護柵を長手方向に隣接させて搬入設置し、相互の防護側壁部の端部間に連結プレートを掛け渡し、ボルトを該連結プレートのボルト挿入口より該防護側壁部の端部に形成したボルト挿入口へ或いはボルト挿入口を介して対向側のナットへ挿入固定して、若しくは他の仮設防護柵の防護側壁部の端部に設けられたボルト形状突起を前記連結プレートのボルト挿入口を介してナットへ挿入固定して、又は他の仮設防護柵の防護側壁部の端部に設けられたピン形状突起を前記連結プレートのピン挿入口に挿入固定して防護側壁部相互を連結し、仮設防護柵を延設してなることを特徴とする仮設防護柵の施工方法。
【請求項２８】
相互の設置部の端部間に連結プレートを掛け渡し、ボルトを該連結プレートのボルト挿入口より該設置部の端部に形成したボルト挿入口へ或いはボルト挿入口を介して対向側のナットへ挿入固定する、若しくは他の仮設防護柵の設置部の端部に設けられたボルト形状突起を前記連結プレートのボルト挿入口を介してナットへ挿入固定する、又は他の仮設防護柵の設置部の端部に設けられたピン形状突起を前記連結プレートのピン挿入口に挿入固定することを特徴とする請求項２７記載の仮設防護柵の施工方法。
【請求項２９】
請求項１８乃至２６記載の仮設防護柵を通行車両区域と工事区域との間に搬入設置し、同様の形状の他の仮設防護柵を長手方向に隣接させて搬入設置し、相互の設置部の端部間に連結プレートを掛け渡し、ボルトを該連結プレートのボルト挿入口より該設置部の端部に形成したボルト挿入口へ挿入固定して、若しくは他の仮設防護柵の設置部の端部に設けられたボルト形状突起を前記連結プレートのボルト挿入口を介してナットへ挿入固定して、若しくは他の仮設防護柵の設置部の端部に設けられたピン形状突起を前記連結プレートのピン挿入口に挿入固定して、又は他の仮設防護柵の設置部の端部に設けられた凹部に凸部を嵌合して設置部相互を連結し、仮設防護柵を延設してなることを特徴とする仮設防護柵の施工方法。
【請求項３０】
相互の防護側壁部の端部間に連結プレートを掛け渡し、ボルトを該連結プレートのボルト挿入口より該防護側壁部の端部に形成したボルト挿入口へ或いはボルト挿入口を介して対向側のナットへ挿入固定する、若しくは他の仮設防護柵の防護側壁部の端部に設けられたボルト形状突起を前記連結プレートのボルト挿入口を介してナットへ挿入固定する、又は他の仮設防護柵の防護側壁部の端部に設けられたピン形状突起を前記連結プレートのピン挿入口に挿入固定することを特徴とする請求項２９記載の仮設防護柵の施工方法。
【請求項３１】
連結プレートは、設置部の端部及び／又は防護側壁部の端部に一方端側を突出させて予め固定してなることを特徴とする請求項２７乃至３０のいずれか記載の仮設防護柵の施工方法。
【請求項３２】
設置部及び／又は防護側壁部は、ボルト挿入口にボルト固定用のネジ切りをしてなることを特徴とする請求項２７乃至３１のいずれか記載の仮設防護柵の施工方法。
【請求項３３】
連結プレート及び／又はナットは、その部材周囲を面取りしてなることを特徴とする請求項２７乃至３２のいずれか記載の仮設防護柵の施工方法。
【請求項３４】
設置部の下面側に摩擦抵抗の大きな接地部材を取着してなることを特徴とする仮設防護柵。
【請求項３５】
接地部材が、ゴム材であるか、又は突起形状を有する部材であることを特徴とする請求項３４記載の仮設防護柵。
【請求項３６】
突起形状を有する部材が、スパイクピン、断面コ字状部材又は断面Ｌ字状部材であることを特徴とする請求項３５記載の仮設防護柵。
【請求項３７】
突起形状を有する部材の路面と接する側に凹凸構造を設けることを特徴とする請求項３５又は３６記載の仮設防護柵。
【請求項３８】
設置部の下面と突起形状を有する部材との間にゴム材を配置することを特徴とする請求項３５乃至３７のいずれか記載の仮設防護柵。
【請求項３９】
設置部が鋼製部材又はコンクリート部材からなり、防護側壁部が鋼製部材又はコンクリート部材からなることを特徴とする請求項３４乃至３８のいずれか記載の仮設防護柵。
【請求項４０】
仮設防護柵の下面に取着するためのスパイクピン状、断面コ字状又は断面Ｌ字状をした接地部材。
【請求項４１】
仮設防護柵の下面に、スパイクピン状、断面コ字状又は断面Ｌ字状をした接地部材を取り付けて、車両衝突時の前記仮設防護柵の滑動を抑制する仮設防護柵の滑動抑制方法。
【発明の詳細な説明】
【技術分野】
【０００１】
本発明は、道路の車両通行のある場所に隣接する箇所で工事を行う場合、通行車両が何等かの原因で路外逸脱し、工事区域に入り込むことを防止するための防護柵機能を持つ仮設防護柵及びその施工方法に関する。
【背景技術】
【０００２】
道路の路側等の工事区域で工事を行う場合、通行車両が路外逸脱して工事区域に入り込まないために通行車両区域と工事区域との間に一時的に仮設防護柵を設置し、該工事区域において工事を行っている。
【０００３】
上記仮設防護柵には、コンクリート製のもの、Ｈ型鋼とガードレールを組み合わせたもの、コンクリートブロックとガードレールを組み合わせたもの、複数のＨ型鋼や覆工板等の鋼材を組み立て道路側にガードレールを取り付けたもの等がある。
【０００４】
また、路外逸脱を防止することはできないが、運転者に通行車両区域と工事区域の境界を明確に示すため、カラーコーン（登録商標）や鋼製・木製・樹脂製・ＦＲＰ製のバリケード等を用いた簡易で経済的なものも用いられている。
【０００５】
上記コンクリート製や鋼製等の大きな衝撃に耐えることのできる仮設防護柵は、人力では設置困難な重量物であり、大型トラック等で現場に搬入し、クレーンやトラックに取り付けられたクレーンで設置するのが一般的であった。
【０００６】
一方、カラーコーン（登録商標）や樹脂製のように、軽く一定間隔で設置するものは、トラックに積載してトラックの荷台上に乗った作業員がトラックの移動と共に人力でトラック側面の道路上に設置すること等によって行っているが、それらの場合は、路外衝突車両の路外逸脱を防ぐ強度が無かった。
【先行技術文献】
【特許文献】
【０００７】
【特許文献１】特開２０１３−１８５３５６号公報
【特許文献２】特開２００４−０８４１８４号公報
【発明の概要】
【発明が解決しようとする課題】
【０００８】
カラーコーン（登録商標）のような軽量なものは、速い速度で設置が可能であるが、路外逸脱した通行車両が路外の工事区域で工事を行っている作業員を跳ねて大怪我をさせたり、逸脱車両が大事故を起こしたりする場合が生じていた。また、コンクリート製や鋼製等の仮設防護柵は、一定の強度を有するものの、設置速度が遅く、設置に時間と多額の費用が必要であると共に、交通渋滞等、一般交通への影響も長時間発生するという問題点があった。
【０００９】
本発明は、上記課題を解決するために、一定の強度があるが軽量であり、短期間で安全に設置・撤去が可能な安価な仮設防護柵の提供及びその施工方法を提供するものである。
【課題を解決するための手段】
【００１０】
本発明は、通行車両の路外逸脱を防止し、且つ、車両の衝突に耐えることのできる仮設防護柵において、鋼板や溶接金網などの鋼製部材を折り曲げ、ねじ止め又は溶接して設置部と防護側壁部を連続して設け、該設置部の下面側に摩擦抵抗の大きな接地部材を長手方向に取着してなる仮設防護柵を特徴とする。
【００１１】
また、上記仮設防護柵の形状を断面略Ｌ字形状とした仮設防護柵を特徴とする。
【００１２】
また、上記仮設防護柵の形状を断面略逆Ｕ字形状とした仮設防護柵を特徴とする。
【００１３】
更に、上記設置部を内方へ位置させた場合は、該設置部と上記防護側壁部との傾斜角度を７０度乃至８５度とし、該設置部を外方へ位置させた場合は、該設置部と該防護側壁部との傾斜角度を９５度乃至１１０度としたことを特徴とする。
【００１４】
また、上記摩擦抵抗の大きな接地部材を長手方向に断続的に取着してなる仮設防護柵を特徴とする。
【００１５】
更に、上記接地部材を長手方向において断続的に取着し、断続部分となる間隙を雨水排水路としてなることを特徴とする。
【００１６】
また、上述防護柵壁面（防護側壁部）を波状の形状とした仮設防護柵を特徴とする。該防護柵壁面を折り曲げる等により波状にすると、衝突外力に対して更に強度のある仮設防護柵とすることができる。
【００１７】
また、上記鋼製部材は、その厚さや径を５ｍｍ乃至５０ｍｍとしてなる仮設防護柵を特徴とする。
【００１８】
更に、上記設置部は、短手方向の長さを３００ｍｍ乃至８００ｍｍ、防護側壁部は、高さを５００ｍｍ乃至１，０００ｍｍとしてなる仮設防護柵を特徴とする。
【００１９】
また、上記接地部材は、厚さを５ｍｍ乃至２００ｍｍのゴム材や樹脂材としてなる仮設防護柵を特徴とする。また、上記接地部材は、突起形状をしていることを特徴とする。また、上記突起形状をした接地部材は、スパイクピン又は路面と接する側に凹凸構造を設けた構造体であることを特徴とする。路面と接する側に凹凸構造を設けた構造体としては、断面コ字状部材及び断面Ｌ字状部材を挙げることができる。更に、上記接地部材は、ゴム材にスパイクピンや路面と接する側に凹凸構造を設けた構造体等の突起形状物が埋め込まれている、又はゴム材にスパイクピンや路面と接する側に凹凸構造を設けた構造体等の突起形状物が取り付けられていることを特徴とする。
【００２０】
また、該防護壁部に溶接金網または防護柵性能に影響のない大きさや数のスリット孔を設けておくことにより風圧を減少させることにより、転倒や滑動を防止できる仮設防護柵を特徴とする。
【００２１】
また、上記防護側壁部の端部に一方端側を突出させて固定した防護側壁部連結プレートを備え、該防護側壁部連結プレートはボルト又はピンの挿入口を有し、前記防護側壁部は、前記防護側壁部連結プレートが固定された端部と反対側の端部に、ボルト若しくはピンの挿入口を有する、又はボルト形状突起若しくはピン形状突起を有することを特徴とする。また、上記防護側壁部の端部に一方端側を突出させて固定した防護側壁部連結プレートを備え、該防護側壁部連結プレートはボルト形状突起若しくはピン形状突起を有し、前記防護側壁部は、前記防護側壁部連結プレートが固定された端部と反対側の端部に、ボルト又はピンの挿入口を有することを特徴とする
【００２２】
また、上記設置部の端部に一方端側を突出させて固定した設置部連結プレートを備え、該設置部連結プレートはボルト又はピンの挿入口を有し、前記設置部は、前記設置部連結プレートが固定された端部と反対側の端部に、ボルト若しくはピンの挿入口を有する、又はボルト形状突起若しくはピン形状突起を有することを特徴とする。また、設置部の端部に一方端側を突出させて固定した設置部連結プレートを備え、該設置部連結プレートはボルト形状突起若しくはピン形状突起を有し、前記設置部は、前記設置部連結プレートが固定された端部と反対側の端部に、ボルト又はピンの挿入口を有することを特徴とする。
【００２３】
また、通行車両の路外逸脱を防止し、且つ、車両の衝突に耐えることのできる仮設防護柵において、鋼製部材（鋼板又は溶接金網）からなる防護側壁部とコンクリート部材からなる設置部とを設け、設置部の端部に一方端側を突出させて固定した設置部連結プレートを備える、又は設置部の端部に剛性突出部材よりなる凸部を形成する仮設防護柵であり、前記設置部連結プレートを備える場合は、該設置部連結プレートはボルト又はピンの挿入口、又はボルト形状突起若しくはピン形状突起を有し、前記設置部は、前記設置部連結プレートが固定された端部と反対側の端部に、ボルト形状突起若しくはピン形状突起、又はボルト若しくはピンの挿入口を有し、前記凸部を形成する場合は、前記凸部が形成された端部と反対側の端部に、該凸部が嵌合できる凹部を形成してなる仮設防護柵を特徴とする。
【００２４】
更に、上記凹部の縦方向となる上下寸法は、該凹部の上端部がコンクリート部材の上面部に達するまでの長さとしてなることを特徴とする。
【００２５】
更に、上記凸部及び凹部が複数であり、該凹部は横方向となる幅寸法を該凸部の横寸法よりやや大きめとし、縦方向となる上下寸法は該凸部の縦寸法より２倍以上の長さとしてなることを特徴とする。
【００２６】
また、上記防護側壁部の端部に一方端側を突出させて固定した防護側壁部連結プレートを備え、該防護側壁部連結プレートはボルト又はピンの挿入口、又はボルト形状突起若しくはピン形状突起を有し、前記防護側壁部は、前記防護側壁部連結プレートが固定された端部と反対側の端部に、ボルト形状突起若しくはピン形状突起、又はボルト若しくはピンの挿入口を有することを特徴とする。
【００２７】
更に、上記設置部の下面側に摩擦抵抗の大きな接地部材を長手方向に取着してなることを特徴とする。また、前記接地部材は、厚さを５ｍｍ乃至２００ｍｍのゴム材や樹脂材としてなることを特徴とする。また、上記接地部材は、突起形状をしていることを特徴とする。また、上記突起形状をした接地部材は、スパイクピン又は路面と接する側に凹凸構造を設けた構造体であることを特徴とする。更に、上記接地部材は、ゴム材にスパイクピンや路面と接する側に凹凸構造を設けた構造体等の突起形状物が埋め込まれている、又はゴム材にスパイクピンや路面と接する側に凹凸構造を設けた構造体等の突起形状物が取り付けられていることを特徴とする。また、本発明の仮設防護柵は、設置部の下面側に摩擦抵抗の大きな接地部材を取着してなることを特徴とする。本発明の仮設防護柵は、接地部材が、ゴム材であるか、又は突起形状を有する部材であることを特徴とする。更に、突起形状を有する部材が、スパイクピン、断面コ字状部材又は断面Ｌ字状部材であることを特徴とする。また、突起形状を有する部材の路面と接する側に凹凸構造を設けることを特徴とする。また、設置部の下面と突起形状を有する部材との間にゴム材を配置することを特徴とする、本発明の仮設防護柵は、設置部が鋼製部材又はコンクリート部材からなることを特徴とし、防護側壁部が、鋼製部材又はコンクリート部材からなることを特徴とする。本発明の仮設防護柵の下面に取着するための接地部材は、スパイクピン状、断面コ字状又は断面Ｌ字状をした接地部材であることを特徴とする。本発明の仮設防護柵の滑動抑制方法は、仮設防護柵の下面に、スパイクピン状、断面コ字状又は断面Ｌ字状をした接地部材を取り付けて、車両衝突時の前記仮設防護柵の滑動を抑制することを特徴とする。
【００２８】
また、上記仮設防護柵を通行車両区域と工事区域との間に搬入設置し、同様の形状の他の仮設防護柵を長手方向に隣接させて搬入設置し、相互の防護側壁部の端部間に連結プレートを掛け渡し、ボルトを該連結プレートのボルト挿入口より該防護側壁部の端部に形成したボルト挿入口へ或いはボルト挿入口を介して対向側のナットへ挿入固定して、若しくは他の仮設防護柵の防護側壁部の端部に設けられたボルト形状突起を前記連結プレートのボルト挿入口を介してナットへ挿入固定して、又は他の仮設防護柵の防護側壁部の端部に設けられたピン形状突起を前記連結プレートのピン挿入口に挿入固定して防護側壁部相互を連結し、仮設防護柵を延設してなる仮設防護柵の施工方法を特徴とする。
【００２９】
更に、相互の設置部の端部間に連結プレートを掛け渡し、ボルトを該連結プレートのボルト挿入口より該設置部の端部に形成したボルト挿入口へ或いはボルト挿入口を介して対向側のナットへ挿入固定する、若しくは他の仮設防護柵の設置部の端部に設けられたボルト形状突起を前記連結プレートのボルト挿入口を介してナットへ挿入固定する、又は他の仮設防護柵の設置部の端部に設けられたピン形状突起を前記連結プレートのピン挿入口に挿入固定することを特徴とする。
【００３０】
上記仮設防護柵を通行車両区域と工事区域との間に搬入設置し、同様の形状の他の仮設防護柵を長手方向に隣接させて搬入設置し、相互の設置部の端部間に連結プレートを掛け渡し、ボルトを該連結プレートのボルト挿入口より該設置部の端部に形成したボルト挿入口へ挿入固定して、若しくは他の仮設防護柵の設置部の端部に設けられたボルト形状突起を前記連結プレートのボルト挿入口を介してナットへ挿入固定して、若しくは他の仮設防護柵の設置部の端部に設けられたピン形状突起を前記連結プレートのピン挿入口に挿入固定して、又は他の仮設防護柵の設置部の端部に設けられた凹部に凸部を嵌合して設置部相互を連結し、仮設防護柵を延設してなる仮設防護柵の施工方法を特徴とする。
【００３１】
更に、相互の防護側壁部の端部間に連結プレートを掛け渡し、ボルトを該連結プレートのボルト挿入口より該防護側壁部の端部に形成したボルト挿入口へ或いはボルト挿入口を介して対向側のナットへ挿入固定する、若しくは他の仮設防護柵の防護側壁部の端部に設けられたボルト形状突起を前記連結プレートのボルト挿入口を介してナットへ挿入固定する、又は他の仮設防護柵の防護側壁部の端部に設けられたピン形状突起を前記連結プレートのピン挿入口に挿入固定することを特徴とする。
【００３２】
また、上記連結プレートは、設置部の端部及び／又は防護側壁部の端部に一方端側を突出させて予め固定してなる仮設防護柵の施工方法を特徴とする。
【００３３】
更に、設置部及び／又は防護側壁部は、ボルト挿入口にボルト固定用のネジ切りをしてなる仮設防護柵の施工方法を特徴とする。
【００３４】
また、上記連結プレート及び／又はナットは、その部材周囲を面取りしてなる仮設防護柵の施工方法を特徴とする。
【発明の効果】
【００３５】
本発明の仮設防護柵は、厚手の鋼板又は溶接金網を折り曲げ、ねじ止め又は溶接して仮設防護柵の全体の形状を形成することができるので製造工程を短縮することができ、部材数の少ないシンプルな仮設防護柵を得ることが可能となった。
【００３６】
また、積み重ねて保管や運搬することが可能となり、少ない面積の保管場所で大量の防護柵を保管することが可能となった。
【００３７】
更に、防護柵面を波状に折り曲げることにより一層強度の高い防護柵を形成することが可能となった。
【００３８】
また、防護柵面に溶接金網や鋼板にスリット孔を設けることにより、重量が軽くても大きな風荷重に対して風圧を少なくすることが可能となった。
【００３９】
更に、道路との接地部に摩擦抵抗の大きな部材を使用したので、車両衝突時の滑動抵抗が増えることにより本体の重量を軽くすることが可能となり、運搬トラックの台数を抑制することが出来るようになると共に、車両の衝撃に耐えることのできる所定の重量と衝撃緩和手段を得ることが可能となった。
【００４０】
連結プレートとボルト形状突起やピン形状突起を設けることにより仮設防護柵を強固に連結することが可能となった。また、連結プレートとボルト形状突起やピン形状突起を仮設防護柵に予め取着することにより、連結時の取扱い連結部材数を極端に減らすことができ、連結速度も格段に速くすることが可能となった。
【００４１】
また、保管時や運搬時には重ねることができるので効率的であり、施工現場では安全で短時間での速度の速い設置及び撤去が可能となる施工方法を得ることが可能となった。
【図面の簡単な説明】
【００４２】
【図１】（ａ）、（ｂ）本発明の仮設防護柵の側面図。（ａ）は防護側壁部を平面形状とした例  、（ｂ）は防護側壁部を波状の形状とした例。
【図２】（ａ）、（ｂ）、（ｃ）本発明の仮設防護柵の斜視図。（ａ）は防護側壁部を平面形状の金属板とした例、（ｂ）は防護側壁部にスリット孔を設けた例、（ｃ）は防護側壁部を金網とした例。
【図３】（ａ）、（ｂ）接地部に接地部材を取着した底面側の平面図。
【図４】（ａ）本発明の仮設防護柵を道路に固定した一実施例を示す側面図。（ｂ）本発明の仮設防護柵に遮蔽材を固定した一実施例を示す側面図。
【図５】（ａ）本発明の仮設防護柵の端部の形状を示す平面図。（ｂ）本発明の仮設防護柵の端部の形状を示す断面図。
【図６】本発明の仮設防護柵を連結のためのボルト挿入口を示す斜視図。
【図７】本発明の仮設防護柵を設置する施工方法を示す正面図。
【図８】（ａ）、（ｂ）、（ｃ）本発明の仮設防護柵を連結する際の連結プレートの正面図。
【図９】本発明の仮設防護柵を重ねた状態を示す側面図。
【図１０】本発明の仮設防護柵を設置する施工方法を示す正面図。
【図１１】（ａ１）、（ａ２）、（ｂ１）、（ｂ２）、（ｃ１）、（ｃ２）、（ｄ１）、（ｄ２）防護側壁部、連結プレート、ボルト、ナットとの関係を示す側面図。
【図１２】（ａ）、（ｂ）本発明の仮設防護柵の他の実施例（実施形態）の側面図。
【図１３】（ａ）、（ｂ）本発明の仮設防護柵を重ねた状態を示す側面図。
【図１４】本発明の仮設防護柵の他の実施例（実施形態）の（ａ）側面図、（ｂ）内側から防護側壁部を見た図、（ｃ）底面図。
【図１５】（ａ）連結プレート、ボルト形状突起及びピン形状突起を備える本発明の仮設防護柵の他の実施例（実施形態）の斜視図。（ｂ）仮設防護柵を連結させる様子を示す図。（ｃ）仮設防護柵を連結させた状態を示す図。（ｄ）仮設防護柵の連結部分の断面を示す図。
【図１６】本発明の仮設防護柵を重ねた状態を示す側面図。
【図１７】本発明の仮設防護柵の他の実施例（実施形態）の側面図
【図１８】（ａ）、（ｂ）本発明の仮設防護柵の他の実施例（実施形態）の側面図。（ｃ）設置部を連結させる様子を示す図。
【図１９】（ａ）、（ｂ）本発明の仮設防護柵の他の実施例（実施形態）の側面図。（ｃ）設置部を連結させる様子を示す図。
【図２０】本発明の仮設防護柵における設置部の他の実施形態を示す図。（ａ）連結させる様子の長手方向断面図、（ｂ）連結させる様子の短手方向断面図、（ｃ）連結した状態の長手方向断面図、（ｄ）連結した状態の短手方向断面図。
【図２１】本発明の仮設防護柵における防護側壁部連結プレートの他の実施形態を示す斜視図。
【図２２】本発明の仮設防護柵における設置部の他の実施形態を示す図。（ａ）斜視図、（ｂ）、（ｃ）側面図、（ｄ）〜（ｆ）設置部を連結させる様子を示す図。
【図２３】本発明の仮設防護柵における設置部の他の実施形態を示す図。
【図２４】本発明の仮設防護柵における接地部材の他の実施形態を示す図。（ａ）斜視図、（ｂ）断面図、（ｃ）スパイクピンを埋め込む様子を示す図、（ｄ）路面との接地状態を示す模式図。
【図２５】本発明の仮設防護柵における接地部材の他の実施形態を示す図。（ａ）側面図、（ｂ）正面図。
【図２６】本発明の仮設防護柵における接地部材の他の実施形態を示す図。（ａ）側面図、（ｂ）正面図、（Ｃ）底面図。
【図２７】本発明の仮設防護柵における接地部材の他の実施形態を示す図。（ａ）側面図、（ｂ）正面図、（Ｃ）底面図。
【図２８】本発明の仮設防護柵の他の実施例（実施形態）を示す図であり、連結した状態を示す断面図。
【図２９】（ａ）、（ｂ）図２８に示す仮設防護柵の設置部を連結させる様子を示す図、（ｃ）、（ｄ）設置部を連結した状態を示す図、
【図３０】（ａ）図２８に示す仮設防護柵の設置部を連結させる様子を示す図、（ｂ）設置部を直線状に連結した状態を示す図、（ｃ）、（ｄ）設置部を曲線状に連結した状態を示す図。
【図３１】本発明における接地部材の使用例を示す図。
【図３２】（ａ）、（ｂ）、（ｃ）本発明における接地部材の他の使用例を示す図
【発明を実施するための形態】
【００４３】
以下、本発明の実施の形態を図面に基づいて説明する。
【実施例１】
【００４４】
図１は、本発明の仮設防護柵１の側面図、図２は、同斜視図を示している。該仮設防護柵１は、厚手の鋼板部材を折り曲げ或いは溶接して防護側壁部２と接地部３とよりなる略Ｌ字型とし、道路面と接することになる該接地部３には、その下面側に摩擦抵抗の大きな接地部材４を、該仮設防護柵１の長手方向において断続的に取着している。図１（ａ）は防護側壁部を平面形状とした例であり、（ｂ）は防護側壁部を波状の形状とした例である。
【００４５】
該仮設防護柵１は、コンクリート部材で形成した従来の単スロープ型或いはフロリダ型の仮設防護柵の防護側壁部を形成する前面の傾斜面と同様の傾斜角度で防護側壁部２を形成している。
【００４６】
例えば、１，２００ｍｍ幅で８ｍの長さの鋼板を、防護側壁部２側を８００ｍｍ、設置部３を４００ｍｍの長さとなるようにし、両者の角度は、上記傾斜面が得られるように、該防護側壁部２と該設置部３との傾斜角度が７０度乃至８５となるように一体形成している。
【００４７】
上記鋼板は、通常の安価な鋼板或いは美観や耐久性等の観点から錆止め塗装、溶融亜鉛メッキ鋼板、ＺＡＭ鋼板等が使用される。
【００４８】
鋼板は、設置部３側が通行車両側に位置しないように内側となるようにして連続している。
【００４９】
鋼板は、厚手の質量のあるもので所定重量が有る鋼板を選択するが、路面となるアスファルトやコンクリートとの摩擦抵抗は少なく、防護柵の自重をできるだけ大きな滑動抵抗になるよう、設置部３となる下面側に摩擦抵抗の大きな接地部材４を取着する。
【００５０】
接地部材４は、例えば、厚さ１ｍｍ乃至２００ｍｍの比較的柔軟性の有る免振性に優れたゴム材とし、硬質ゴムや硬質ウレタン等が使用される。免振性に優れたゴム材等は、車両による大きな衝撃となる衝突荷重を軽減することができると共に、この接地部材４により仮設防護柵１の全体重量を活動抵抗力に変えることが可能となる。図１では、接地部材としてゴム材等を使用した例が示されているが、本発明における接地部材は、突起形状をしていてもよい。突起形状物の材質は特に制限されず、鋼製等の金属製でもよく、樹脂製でもよく、ゴム製でもよく、セラミック製でもよい。突起形状物の形状は、設置部の下面に取着されて設置部の下面から突出する形状であれば特に制限されず、例えば、断面が円形、三角形、四角形、五角形以上の多角形等の形状をした柱状体、あるいはこれらの柱状体の先端を尖らせたものを縦方向に取り付けてもよく、板状のプレートをその端面が路面と接するように、あるいは柱状体を、その側面が路面と接するように取り付けてもよい。板状のプレートや柱状体を、設置部の下面に取り付ける場合、路面と接する面は平坦でもよいが凹凸構造を有することが好ましい。凹凸構造の断面形状としては、例えば、略三角波形状、略矩形波形状、略台形波形状、略円弧波形状、略正弦波形状、略鋸歯状波形状等を挙げることができる。また、突起形状物の個数や配置は特に制限されず、必要とする接地部材と路面との摩擦抵抗の大きさにより適宜設定することができる。突起形状物は、設置部に直接取り付けてもよく、設置部との間にゴム材等を挟んで取り付けてもよい。また、柱状体を縦方向に取り付ける例としてスパイクピンを挙げることができる。スパイクピンでもよい。使用するスパイクピンの形状、材質等は特に制限されず、鋼製等の金属製でもよく、樹脂製でもよい。これらのスパイクピンは、例えば、設置部である鋼板の下面側に溶接又はボルト接合等で取り付けることができる。また、ゴム材や樹脂材の板やシートにスパイクピンを埋め込んだものを接地部材として使用してもよい。この場合、スパイクピンの先端がゴム材や樹脂材の下面（路面と接する面）とほぼ同じ位置になるように、例えば、ゴム材や樹脂材の下面を基準とし、下面から外方向を＋（プラス）、内方向を−（マイナス）とすると、スパイクピンの先端が−５ｍｍ〜＋５ｍｍ、−３ｍｍ〜＋３ｍｍ又は−１ｍｍ〜＋１ｍｍの範囲の位置にあるようにすると、ゴム材や樹脂材による摩擦抵抗と、スパイクピンと路面との引っかかりによる摩擦抵抗との両方の効果が発揮されるため好ましい。また、反対側の端部は、接地部材を設置部に取り付けることができれば、ゴム材や樹脂材の上面（設置部側の面）とほぼ同じ位置にあってもよく、ゴム材や樹脂材の上面から外方の位置にあってもよく、ゴム材や樹脂材の中に位置していてもよい。スパイクピンを使用する場合のスパイクピンの配列や間隔は特に制限されないが、例えば、隣り合うスパイクピン間の間隔として１０〜５０ｃｍを挙げることができ、格子状の配列を挙げることができる。スパイクピンの種類としては、例えば、チップピン、マカロニピン、ワインカップピン等の公知の形状を挙げることができる。また、防護側壁部を波状の形状とするとより強度の高い防護柵とすることができる。図１（ｂ）は、仮設防護柵の形状を断面略Ｌ字形状とした例であるが、仮設防護柵の形状を断面略逆Ｕ字形状とした場合も同様に防護側壁部を波状の形状とすることができ、より強度の高い防護柵とすることができる。
【００５１】
接地部材は、設置部の下面側に長手方向に取着されるが、連続的に取着されていても、断続的に取着されていてもよい。図２は路面の雨水を路肩に設けた排水溝へ導入するため、雨水が設置部３下側より排水できるように該接地部材４は、仮設防護柵１の長手方向において設置部３下面に間欠部５を設けて断続的に取着したものである。図２（ａ）は防護側壁部を平面形状の金属板とした例である。図２（ｂ）は防護側壁部にスリット孔を設けた例であり、図２（ｃ）は防護側壁部を金網とした例であり、共に、風圧を減少させることにより、転倒や滑動をより防止できるようにしたものである。
【００５２】
図３は、該設置部３への接地部材４の取着の態様を示すもので、図３（ａ）は、接地部材４からの雨水の通水を得るために間欠部５を形成している。また、図３（ｂ）は、接地部材４を小片として設置部３への分散貼りとしたものである。また、図３（ａ）の設置部３に設けられた貫通孔は、設置部３の上面に溜まった雨水を間欠部５により通水するために用いることができ、また路面側にずれ止めアンカーを打ち込むために用いることができる。
【００５３】
接地部材４を細分化することにより、雨水を横断方向に導水するだけでなく道路縦断方向にも流下させることができ、ある一定量までの雨水なら防護柵の車道側が通水路となることを防ぎ、通行車両への影響を防止することができる。
【実施例２】
【００５４】
仮設防護柵１が車両の衝突や風圧で滑動することを阻止するために、図４（ａ）に示すように、設置部３の上面側から予め設けておいた貫通孔を介して路面側へずれ止めアンカー６を打ち込んで設置強度（活動抵抗値）を更に向上させることができる。
【実施例３】
【００５５】
図４（ｂ）に示すように、仮設防護柵１の防護側壁部の上部側に単管用の取着部材７を取り付け、該取着部材７に単管等の柱状体８を長手方向にわたって所定間隔毎に固定し、該柱状体８を利用して目隠しネットや防風板や遮音板等の遮蔽材９を取り付けることが可能である。
【実施例４】
【００５６】
仮設防護柵１の防護側壁部の両端部に、図５（ａ）に示すように、接合のための凹凸部１０或いは同（ｂ）に示すテーパー部１１を設けることにより、設置箇所を確定することができ、仮設防護柵１相互の連結を速やかに行いスピード化を図ることができる。
【実施例５】
【００５７】
図６に示すように、仮設防護柵１の防護側壁部２の左右両端部に連結ボルトを挿通するための挿入口１２を形成し、該防護側壁部２相互に跨るようにしてボルト挿通口１３のある連結プレート１４を配設する。該連結プレート１４は、図７に示すように、その一方端側を防護側壁部２の端部の挿入口１２にボルト挿通口１３を一致させ、他方端部を該防護側壁部２の他端部より突出させて予め取り付けておく。
【００５８】
連結プレート１４は、図８（ａ）、（ｂ）、（ｃ）に示すように、（ａ）は長方形状のものでボルト挿通口１３を左右端部に設け、本体の周縁部をテーパー状にカットした切除部１７を設けている。切除部１７を形成することにより、車両の衝突時に車両に損傷を与えないことができる。
【００５９】
上記仮設防護柵１或いは端部に連結プレート１４を固定した仮設防護柵１は、図９に示すように、保管時や運搬時において重ねることができ、嵩張ることなく効率的である。
【００６０】
上記仮設防護柵１或いは端部に連結プレート１４を固定した仮設防護柵１を、図１０に示すように、該仮設防護柵１を上方或いは斜め上方より先に設置した仮設防護柵１に隣接させて設置し、連結プレート１４により相互を連結することになる。
【００６１】
防護側壁部２、連結プレート１４、ボルト１５及びナット１６との関係を図１１に示す。仮設防護柵１相互の連結作業を作業区域側から施工することができるように、路面側へ出ることなく安全な作業とすることとしている。図１１（ａ１）及び（ａ２）は、防護側壁部２の挿入口１２に雌ネジ切り部を設けておき、ボルト１５を連結プレート１４を介して該防護側壁部２の雌ネジ切り部で螺合固定し、該防護側壁部２相互を連結するものである。
【００６２】
図１１（ｂ１）及び（ｂ２）は、連結プレート１４道路区域側となる外側に使用し、外側の連結プレート１４に雌ネジ切り部を設けておき、ボルト１５を防護側壁部２の挿入口を貫通させ、外側の連結プレート１４の雌ネジ切り部で螺合固定して該防護側壁部２相互を連結するものである。該連結プレート１４は、上記したように、予め防護側壁部２に固定したものとする。
【００６３】
図１１（ｃ１）及び（ｃ２）は、連結プレート１４ａ、１４ｂを作業区域側となる内側及び道路区域側となる外側の両方に使用し、道路側からのボルト１５を外側の連結プレート１４ｂ、防護側壁部２、内側の連結プレート１４ａを貫通させ、内側においてナット１６で螺合固定したものである。
【００６４】
図１１（ｄ１）及び（ｄ２）は、道路側からのボルト１５を防護側壁部２、内側の連結プレート１４を貫通させ、内側においてナット１６で螺合固定したものである。
【００６５】
上記連結プレート１４を利用して仮設防護柵１相互が連結され、図１０に示すように、長手方向に延設することができる。
【００６６】
また、図６に示すように、仮設防護柵１の設置部３の左右両端部に連結ボルトを挿通するための挿入口１２を形成し、該設置部３相互に跨るようにしてボルト挿通口（挿入口）のある連結プレートを配設してもよい。該連結プレートは、その一方端側を設置部３の端部のボルト挿入口１２にボルト挿通口を一致させ、他方端部を該設置部３の端部より突出させて予め取り付けておくこともでき、連結プレートによる連結方法は、上記防護側壁部２に配設される連結プレートの場合と同様に行うことができる。
【００６７】
また、防護側壁部２及び／又は設置部３は、その端部にボルト挿入口を有する代わりに、その端部にボルト形状突起又はピン形状突起を有していてもよい。防護側壁部２では防護側壁部２の外側に向けて、設置部３では設置部３の上側に向けて突き出したボルト形状突起を設けることにより、連結プレートのボルト挿入口に前記ボルト形状突起を挿通させてナットで螺合固定することができる。また、防護側壁部２では防護側壁部２の外側に向けて、設置部３では設置部３の上側に向けて突き出したピン形状突起を設けることにより、連結プレートのピン挿入口に前記ピン形状突起を挿通させて嵌合固定することができる。
【００６８】
ボルト形状突起及び／又はピン形状突起は、防護側壁部２や設置部３の両端部に設けられてもよく、一方の端部に設けられてもよい。連結プレートを予め防護側壁部２や設置部３に固定しておく場合は、ボルト形状突起やピン形状突起は、連結プレートが固定された端部と反対側の端部に形成することが好ましい。また、防護側壁部２の連結プレートと設置部３の連結プレートは同じ側の端部に固定されていてもよく、反対側の端部に固定されていてもよい。
【００６９】
本発明において「ボルト形状突起」とは、ボルトのねじ部に相当する部分を有する突起のことであり、例えば、ボルトのねじ部の形状の部材を、防護側壁部２や設置部３に溶接等で固定することにより形成できる。また、ボルトを防護側壁部２や設置部３に溶接等で固定しても形成でき、この場合、ボルトの頭部を防護側壁部２の外側や設置部３の上側に固定してもよく、ボルトの頭部以外の部分を防護側壁部２の内側や設置部３の下側から防護側壁部２や設置部３のボルト挿入口に挿通させ、ボルトのねじ部が防護側壁部２の外側や設置部３の上側から飛び出した状態で固定することにより形成できる。
【００７０】
本発明において「ピン形状突起」とは、連結プレートのピン挿入口と嵌合固定されるように形成された突起のことであり、形状は特に限定されず、例えば、円柱状、角柱状（断面四角形、断面多角形を含む）等を挙げることができ、例えば、これらの形状の部材を防護側壁部２や設置部３に溶接等で固定することにより形成できる。ピン形状突起と連結プレートのピン挿入口との嵌合状態は、ぴったりと嵌め合った状態でもよく、ゆとりを持った状態でもよい。ボルト形状突起やピン形状突起を設ける場合、防護側壁部２にはボルト形状突起及びピン形状突起のいずれを設けてもよく、設置部３にはボルト形状突起及びピン形状突起のいずれを設けてもよいが、仮設防護柵を強固に連結させる観点から、防護側壁部２にはボルト形状突起を設け螺合固定できるようにすることが好ましい。
【実施例６】
【００７１】
図１２（ａ）は、仮設防護柵２１の他の実施例（実施形態）の側面図を示している。該仮設防護柵２１は、前記実施例１乃至５に示したものと同様、厚手の鋼板部材又は鉄筋金網を折り曲げ又は溶接し、左右の防護側壁部２２ａ、２２ｂと左右の設置部２３ａ、２３ｂとよりなる。該設置部２３ａ、２３ｂ側の開放側が該左右の防護側壁部２２ａ、２２ｂに対して拡開した断面略逆Ｕ字型とした（以下、断面略逆Ｕ字型という）としたもので、各々内方へ折り曲げて形成したものである。
【００７２】
実施例１と同様の折り曲げ角度Ｒを有する略Ｌ字形のものの２個を背中合わせとし、その上端部の天端で連結して断面略逆Ｕ字型となるよう連続形成した形状のもので、該天端部は湾曲状の緩やかな曲面となるように鋼板を折り曲げ又は溶接して形成している。
【００７３】
鋼板を断面略逆Ｕ字型に形成することで、従来のコンクリート防護柵と同様の厚さの有る鋼板製の仮設防護柵２１を得ることができる。
【００７４】
道路と接することになる該設置部２３ａ、２３ｂには、その下面側に摩擦抵抗の大きな接地部材２４ａ、２４ｂを、該仮設防護柵２１の長手方向において断続的に取着している。
【００７５】
鋼板の材質や厚さ、防護側壁部２２ａ、２２ｂや設置部２３ａ、２３ｂを形成する傾斜角度、接地部材２４ａ、２４ｂの材質や取着位置、防護側壁部２２の両端部の構造や連結のための挿入口の形成及び仮設防護柵の施工方法となる仮設防護柵の固定方法、連結プレートの形状及びその連結プレートを使用しての連結方法、遮蔽材を取り付けることができること等は実施例１乃至実施例５に示したものと同様である。
【００７６】
また、図１３（ａ）に示すように、保管時や運搬時において重ねることが可能である。
【実施例７】
【００７７】
図１２（ｂ）は、仮設防護柵２１’の他の実施例（実施形態）の側面図を示している。該仮設防護柵２１’は、前記実施例１乃至６に示したものと同様、厚手の鋼板部材を折り曲げ又は溶接し、左右の防護側壁部２２ａ’、２２ｂ’と左右の設置部２３ａ’、２３ｂ’とよりなる断面略逆Ｕ字型としたもので、該設置部２３ａ’、２３ｂ’は該左右の防護側壁部２２ａ’、２２ｂ’に対して各々外方へ突出させて形成したものである。
【００７８】
逆Ｕ字型と上端部となる天端部は鋼板を湾曲状の緩やかな曲面となるように幅の有る天端部として形成し、左右防護側壁部２２ａ’、２２ｂ’間を厚みの有るものとしている。
【００７９】
道路と接する該設置部２３ａ’、２３ｂ’は、該左右の防護側壁部２２ａ’、２２ｂ’との傾斜角度（Ｒ）を９５度乃至１１０度とし、その下面側に摩擦抵抗の大きな接地部材２４ａ’、２４ｂ’を、該仮設防護柵２１’の長手方向において断続的に取着している。
【００８０】
鋼板の材質や厚さ、防護側壁部２２ａ’、２２ｂ’や設置部２３ａ’、２３ｂ’を形成する傾斜角度、接地部材２４ａ’、２４ｂ’の材質や取着位置、防護側壁部２２ａ’、２２ｂ’の両端部の構造や連結のための挿入口の形成及び仮設防護柵の施工方法となる仮設防護柵の固定方法、連結プレートの形状及びその連結プレートを使用しての連結方法、遮蔽材を取り付けることができること等は実施例１乃至実施例５に示したものと同様である。
【００８１】
また、図１３（ｂ）に示すように、保管時や運搬時において効率的に重ねることが可能である。
【実施例８】
【００８２】
図１４（ａ）は、形状を断面略逆Ｕ字形状とした他の実施例（実施形態）の仮設防護柵３１の側面図を示している。防護側壁部（３２ａ、３２ｂ、３２ｃ）は、厚手の鋼板部材又は鉄筋金網を折り曲げて作製することができる。また、防護側壁部（３２ａ、３２ｂ、３２ｃ）は、例えば、鋼板を折り曲げて３２ａと３２ｃを形成し、別に用意した３２ｂを溶接する等、折り曲げ加工と溶接加工を組み合わせて作製してもよく、溶接加工のみで作製してもよい。設置部３３と防護側壁部３２ａとの傾斜角度及び設置部３３と防護側壁部３２ｂとの傾斜角度は特に制限されるものではなく、例えば、９０度でもよく、防護側壁部の内側部分（内方へ位置する部分）の設置部３３と防護側壁部３２ａ及び３２ｂとの傾斜角度は７０度乃至８５度（すなわち防護側壁部の外側部分（外方へ位置する部分）の設置部３３と防護側壁部３２ａ及び３２ｂとの傾斜角度は９５度乃至１１０度）でもよい。
【００８３】
設置部３３は、鋼板が防護側壁部３２ａ及び３２ｂにボルト及びナット（１５、１６）によるねじ止めで固定されている。また、設置部３３は、防護側壁部３２ａ及び３２ｂに溶接で固定されてもよい。設置部３３は、防護側壁部の側面３２ａ及び３２ｂに対して外方へ突出しており、さらに防護側壁部の側面３２ａ及び３２ｂの間にもある。接地部材３４は設置部３３の下面側に長手方向に連続的に又は断続的に取着されている。防護側壁部（３２ａ、３２ｂ、３２ｃ）の内側には、仮設防護柵３１の強度をより向上させるために一定間隔で鋼板製のリブ１８が取り付けられている。仮設防護柵３１では、断面略逆Ｕ字形状のＵ字の底の部分である仮設防護柵の上面３２ｃが平坦であるが、上面３２ｃは図１２に示されるように湾曲していてもよい。
【００８４】
図１４（ｂ）は、仮設防護柵３１を内側から３２ａ又は３２ｂの方向を見た側面図である。リブ１８並びに防護側壁部３２ａ及び３２ｂは設置部３３にボルト及びナットで固定され、防護側壁部３２ａ及び３２ｂにはスリット１９が形成されている。図１４（ｃ）は、仮設防護柵３１を下側から見た底面図である。ただし、リブ１８、防護側壁部３２ａ及び３２ｂと設置部３３との固定の状況が分かるように接地部材は省略している。設置部３３は、防護側壁部の下端における間隔（防護側壁部３２ａの下端と防護側壁部３２ｂの下端との間の間隔）より広い横幅の鋼板で形成され、設置部３３は防護側壁部の下端において一方の防護側壁部の下端の外方に突出した位置から他方の防護側壁部の下端の外方に突出した位置まで伸びている。また、設置部３３にはスリット１９’が形成されている。
【００８５】
図１５（ａ）は、仮設防護柵３１に連結プレートを固定した仮設防護柵４１を示す斜視図である。ただし、連結部の特徴を分かりやすくするために、リブ、防護側壁部及び設置部のスリット、並びに接地部材は省略している。防護側壁部連結プレート５０は、鋼板により形成され、防護側壁部（４２ａ、４２ｂ、４２ｃ）と同様の断面略逆Ｕ字形状を有し、防護側壁部に外側からかぶせると防護側壁部の上面４２ｃ並びに側面４２ａ及び４２ｂと重なる又は接するような形状に形成され、防護側壁部の端部に一方端側を突出させて溶接又はボルト接合等により固定されている。防護側壁部連結プレート５０は、通常の平板形状でもよいが、連結部の強度をより高める観点から、防護側壁部連結プレート５０の長さを防護側壁部の上面４２ｃの幅以上とし、防護側壁部連結プレート５０が防護側壁部の側面４２ａ及び４２ｂと重なる部分を有するようにすることが好ましい。防護側壁部連結プレート５０における防護側壁部の側面４２ａ及び４２ｂと重なる部分の縦方向の長さは特に制限されず、連結部の強度と仮設防護柵の重量や作業性の観点を考慮して適宜選択することができる。そして、突出させた部分のＵ字の底（防護側壁部連結プレート５０の上面）に相当する部分の端部にボルト挿入口５４が形成されている。
【００８６】
ボルト形状突起５２は、防護側壁部の上面４２ｃの防護側壁部連結プレート５０が固定された端部と反対側の端部に設けられている。ボルト形状突起５２は、４２ｃに直接溶接して固定してもよいが更に取付け強度を大きくするために、前記防護側壁部の上面４２ｃの端部にボルトを挿入する孔をあけ、前記孔に下から上向きに鋼製のボルトを挿通し、ボルトの頭部を防護側壁部の上面４２ｃの下側と溶接し固定することにより形成されている。また、ボルト形状突起５２は、ボルトのねじ部の形状の部材を、防護側壁部の上面４２ｃに溶接することにより形成されてもよい。  
【００８７】
設置部連結プレート５１は、鋼板により形成され、設置部４３の端部に一方端側を突出させて溶接又はボルト接合等により固定され、突出させた部分の端部にピン挿入口５５が形成されている。ピン形状突起５３は、設置部４３の設置部連結プレート５１が固定された端部と反対側の端部に設けられている。ピン形状突起５３は、前記端部にピンを挿入する孔をあけ、前記孔に下から上向きに鋼製のピンを挿通し、設置部４３と溶接し固定することにより形成されている。また、ピン形状突起５３は、ピンの形状の部材を設置部４３に溶接することにより形成されてもよい。
【００８８】
また、ボルト挿入口５４、ピン挿入口５５、ボルト形状突起５２、ピン形状突起５３、防護側壁部連結プレート５０及び設置部連結プレート５１の個数は、図１５ａに示された個数に限定されるものではない。また、防護側壁部の上面４２ｃの端部にピン形状突起を設け、設置部４３の端部にボルト形状突起を設けてもよく、防護側壁部の上面４２ｃの端部と設置部４３の端部の両方にボルト形状突起を設けてもよく、防護側壁部の上面４２ｃの端部と設置部４３の端部の両方にピン形状突起を設けてもよい。図１５では、防護側壁部連結プレート５０と設置部連結プレート５１とは、同じ側の端部に固定されているが、反対側の端部に固定されていてもよい。
【００８９】
防護側壁部の上面４２ｃの端部には、仮設防護柵をより強固に連結する観点から、ボルト形状突起を設けることが好ましく、図１５（ｂ）に示すように連結時にボルト形状突起５２’と防護側壁部連結プレート５０をナット１６と座金１６’で螺合固定することが好ましい。ナット１６と座金１６’で防護側壁部連結プレート５０とボルト形状突起５２’を介して隣り合う仮設防護柵４１と４１’を一体化させることにより、連結された仮設防護柵が車両衝突時に上下に離れバラバラになるのを防止する。防護側壁部連結プレート５０を上記のように強固に固定すれば、設置部連結プレート５１は車両が衝突したとき、仮設防護柵４１と４１’との間の短手方向のずれを防止すればよいので、設置部連結プレート５１のピン挿入孔５５は、短手方向の幅をピン形状突起５３’の短手方向の幅とほぼ同じにすればよい。そのため、ピン挿入孔５５の長手方向の幅を大きくできるため、連結するときにピン形状突起５３’をピン挿入孔５５に入れやすくなる。
【００９０】
図１５（ｂ）は、仮設防護柵４１と４１’を連結させる様子を示した図であり、図１５（ｃ）は、仮設防護柵４１と４１’を連結させた状態の図であり、図１５（ｄ）は、仮設防護柵４１の連結部分の断面を示す図である。図１５（ｂ）〜（ｄ）に示すように、仮設防護柵４１を斜め上方より先に設置した仮設防護柵４１’に隣接させて設置する。そして、ボルト形状突起５２’を防護側壁部連結プレート５０のボルト挿入口５４に挿通させ、ピン形状突起５３’を設置部連結プレート５１のピン挿入口５５に挿通させ、ボルト形状突起５２’をナット及び座金で締めて螺合し、仮設防護柵４１と４１’を相互に連結する。
【００９１】
図１６は、仮設防護柵３１又は４１を重ねた状態を示す図である。ねじ止めをはずして、図１６の左側の図のように設置部３３又は４３を防護側壁部から分離することにより、保管時や運搬時において重ねることができ、嵩張ることがなく効率的である。図１７に示す仮設防護柵６１は、仮設防護柵３１と同様の形状で、防護側壁部に溶接金網を用いた例である。鋼板製のリブの代わりに折り曲げた鋼棒６３をリブとして使用し、溶接金網の両側面の間を支持するように複数の折り曲げ箇所で溶接金網と溶接している。
【実施例９】
【００９２】
図１８（ａ）、（ｂ）は、形状を断面略逆Ｕ字形状とした他の実施例（実施形態）の仮設防護柵７１、８１の側面図を示し、図１８（ｃ）は、仮設防護柵７１、８１の設置部を連結する様子を示している。図１８（ａ）に示す仮設防護柵７１では、コンクリート部材を設置部７１−２として使用している。防護側壁部７１−１は、溝形鋼７３を、その下端部をコンクリート部材に埋設する等によりコンクリート部材に固定し、その溝形鋼７３に鋼板７２を溶接、ボルト接合等で固定することにより形成される。仮設防護柵７１では、厚手の鋼板を二つ折りにして溝形鋼７３の両面と重なるように被せているが、別々の鋼板を正面側と裏面側（工事区域外側と工事区域内側）にそれぞれ固定してもよく、一方の面のみに鋼板を固定してもよい。
【００９３】
図１８（ｂ）に示す仮設防護柵８１は、仮設防護柵７１と同様に、コンクリート部材を設置部８１−２として使用し、防護側壁部８１−１として溝形鋼と鋼板の代わりに、溶接金網８２を使用した例である。防護側壁部８１−１は、溶接金網を二つ折りにして、その両端部をコンクリート部材に埋設する等によりコンクリート部材に固定して形成される。また、溶接金網８２の両側面間には、仮設防護柵６１と同様の折り曲げた鋼棒８３のリブが取り付けられている。本発明におけるコンクリート部材への防護側壁部の固定は、コンクリートを打ち込む前に防護側壁部を型枠内に適宜の方法で固定し、その後コンクリートを打設してもよいし、コンクリート部材に防護側壁部固定用の凹部を設け該凹部に防護側壁部を嵌め込む、或いは嵌め込んだ後に更にモルタル等を充填する、又は防護側壁部をコンクリート部材にボルト接合する等の方法により行ってもよい。また、仮設防護柵３１、４１、４１’、６１のように防護側壁部の下面に鋼板を有する構造のものをボルト接合等によりコンクリート部材に固定してもよい。
【００９４】
図１８（ｃ）は、仮設防護柵７１及び８１を連結させる様子を示した図である。仮設防護柵７１の設置部７１−２の一方端部には設置部連結プレート７４が取り付けられ、該設置部連結プレート７４にはボルト挿入口７５が設けられている。また、設置部７１−２の他方端部にはボルト挿入口７８が設けられている。二つの仮設防護柵７１を一方の設置部に設けられたボルト挿入口と他方の設置部に固定された設置部連結プレートのボルト挿入口とが重なるように隣接させ、両ボルト挿入口にボルト７６を挿入してボルト接合することにより設置部相互を連結し、この工程を繰り返すことにより仮設防護柵を延設する。仮設防護柵８１においても、仮設防護柵７１と同様に、設置部８１−２の一方端部に取り付けられた設置部連結プレート８４のボルト挿入口８５と他方端部に設けられたボルト挿入口８８とが重なるように仮設防護柵を隣接させ、ボルト８６によりボルト接合することにより設置部相互を連結し、この工程を繰り返すことにより仮設防護柵を延設する。
【００９５】
設置部連結プレート７４及び８４は、設置部７１−２及び８１−２の上面、側面又は下面のいずれの面に固定されてもよく、設置部連結プレート７４及び８４の位置に合わせて、他方端部にボルト挿入口７８及び８８を設ければよい。設置部７１−２及び８１−２の形状は、特に限定されないが、図１８に示すように断面台形とし、設置部端部の側面に切欠きを形成して段差を設け、一方端部の切欠き部に設置部連結プレートを固定し、他方端部にボルト挿入口を設けることにより、一方の仮設防護柵の設置部連結プレートと他方の仮設防護柵の設置部とがハの字形に合致するため施工スピードを速くできる。
【００９６】
図１９（ａ）、（ｂ）は、形状を断面略逆Ｕ字形状とした他の実施例（実施形態）の仮設防護柵９１、１０１の側面図を示し、図１９（ｃ）は、仮設防護柵９１、１０１の設置部を連結する様子を示している。仮設防護柵９１は、設置部９１−２における連結に関係する構造以外は、仮設防護柵７１と同様に形成されたものである。すなわち、防護側壁部９１−１は溝形鋼９３と鋼板９２から構成され、設置部９１−２はコンクリート部材である。また、仮設防護柵１０１は、設置部１０１−２における連結に関係する構造以外は、仮設防護柵８１と同様に形成されたものである。すなわち、防護側壁部１０１−１は溶接金網１０２と折り曲げた鋼棒１０３のリブから構成され、設置部１０１−２はコンクリート部材である。
【００９７】
仮設防護柵９１では、設置部９１−２の一方の端部の側面（仮設防護柵を連結するときに他の仮設防護柵と向かい合う面）に鉄筋、鋼棒、板状体等の剛性突出部材よりなる凸部９４が形成されている。前記凸部９４の形状は、特に制限されるものではないが、丸棒、四角棒、断面が五角形以上の多角棒或いは厚い板状体等の剛性が得られる様々な形状を挙げることができる。設置部９１−２の凸部９４は、これらの剛性突出部材の一方側を設置部９１−２のコンクリート中に埋設し、他方側を側面表面より外方へ突出させて形成される。図１９（ａ）では、凸部９４は２箇所に形成されているが、１箇所でも３箇所以上でもよい。連結を強固にする観点から凸部は複数個所、すなわち複数本形成されていることが好ましい。
【００９８】
設置部９１−２には、上記凸部９４が形成された端部と反対側の端部の側面に前記凸部９４が嵌合できる凹部９７が形成されている。凹部９７は、設置時において前記凸部９４が嵌合できる形状及び位置に形成されていればよい。仮設防護柵９１では、前記凹部９７は、設置時において前記凸部９４となる剛性突出部材が嵌め込まれる位置と一致する位置に設けられ、更に縦方向となる上下寸法はその上端部が上面部に至る長さとし、該上面部に前記凹部の開口部が露出している。また、前記凹部の横方向となる幅寸法は前記凸部の横寸法よりやや大きめとなっている。
【００９９】
先行して設置した仮設防護柵９１の凹部が形成された側の端部近接の上方側に、次に設置する仮設防護柵９１を吊り上げて凸部が形成された側の端部を位置させ、その状態でほぼ垂直方向に降下させることで、前記凸部が先行して設置した仮設防護柵９１の凹部の上方端部側の開口部の位置で篏合されることになる。この状態下で、更に、吊り上げた仮設防護柵９１を降下させることにより凸部は凹部の最下端部まで降下することになり嵌合固定される。このように仮設防護柵９１は簡易に仮設防護柵相互間を連結することができる。また、連結が終了した後、連結部となる上面部において凹部の一端部が開口した状態で開口部が露出することになるので、当該箇所からモルタル等の充填材を注入することが簡単にでき、連結部をより強固に連結することができる。
【０１００】
仮設防護柵１０１も仮設防護柵９１と同様に、設置部１０１−２の一方の端部の側面に凸部１０４が形成され、他方の端部の側面に凸部１０４と嵌合できる凹部１０７が形成されている。凸部及び凹部の位置、個数、寸法、材質等、及び連結の方法は仮設防護柵９１と同じである。
【０１０１】
仮設防護柵７１、８１、９１及び１０１は、仮設防護柵１、２１、２１’、３１、４１、４１’、６１と同様に、防護側壁部に連結プレート、ボルト挿入口、ボルト形状突起及び／又はピン形状突起を設けることができる。これらの材質、形状、位置、個数等は、仮設防護柵１、２１、２１’、３１、４１、４１’、６１において上記で述べた内容と同じである。防護側壁部を連結プレートにより連結し、車両衝突時に連結された仮設防護柵が上下に離れるのを防止する効果を高めると、短手方向のずれを防止する効果の高い設置部の嵌合固定と合わさって、仮設防護柵相互の連結を強固にすることができる。図２１は防護側壁部連結プレートの一例である。また、設置部に仮設防護柵１、２１、２１’、３１、４１、４１’、６１と同様に、連結プレート、ボルト挿入口、ボルト形状突起及び／又はピン形状突起を設けることができる。これらの材質、形状、位置、個数等は、仮設防護柵１、２１、２１’、３１、４１、４１’、６１において上記で述べた内容と同じである。また、仮設防護柵１、２１、２１’、３１、４１、４１’、６１と同様に、コンクリート部材から構成される設置部の下面側に摩擦抵抗の大きな接地部材を連続的又は断続的に長手方向に取着してもよい。設置部としてコンクリート部材を使用する場合においても、連結部は設置部のみにあってもよく、設置部と防護側壁部にあってもよく、防護側壁部のみにあってもよい。
【０１０２】
図２０は連結プレートを備えた設置部を示す図である。設置部は連結プレートのみを備えてもよいが、図２０に示すように連結プレートと剛性突出部材よりなる凸部を備えると、設置部による仮設防護柵の連結がより強固になる。設置部１２１及び１２１’は、仮設防護柵９１の設置部と同様に一方の端部の側面（仮設防護柵を連結するときに他の仮設防護柵と向かい合う面）に鉄筋、鋼棒、板状体等の剛性突出部材よりなる凸部１２７が形成され、凸部１２７が形成された端部と反対側の端部に前記凸部が嵌合できる凹部１２８が形成されている。さらに設置部１２１及び１２１’では、凸部１２７を形成した端部の上面に一方端側を突出させてボルト１２３及びナット１２４で固定した設置部連結プレート１２２が備えられている。また、凹部１２８が形成された端部には、凹部と凹部の間にボルトの先が端部上面から上方に出るようにボルト１２５が埋め込まれている。図２０（ａ）は、設置部１２１と１２１’を連結させる様子を正面側から見た図であり、設置部連結プレート１２２の長手方向中心の断面図として示している。図２０（ｂ）は、設置部１２１と１２１’を連結させる様子を側面側から見た図であり、連結部分の短手方向の断面図として示している。図２０（ｃ）は連結した状態を、図２０（ａ）と同様の断面図として示した図である。また、図２０（ｄ）は連結した状態を、図２０（ｂ）と同様の断面図として示した図である。設置部１２１の凸部１２７及び設置部連結プレート１２２が設けられた端部が、設置部１２１’の凹部１２８及びボルト１２５が設けられた端部の近傍上方になるように設置部１２１を吊り上げ、ほぼ垂直方向に降下させて、凸部１２７を凹部１２８に挿入させ、ボルト１２５を設置部連結プレート１２２のボルト挿入口に挿入させる。そして、ボルト１２５をナット１２６で締めることにより設置部連結プレート１２２とボルト１２５を介して設置部１２１と１２１’を固定する。凸部１２７と凹部１２８の嵌合による連結に加えて、ボルト接合による連結も行われ３点で固定されるため、より強固な連結が行える。この連結方法によれば、さらに防護側壁部相互を連結プレートで固定してもよいが、防護側壁部相互の固定を行わなくても十分な強度を得ることができる。
【０１０３】
図２２は、凸部と凹部を形成したコンクリート部材による設置部の他の実施形態を示す図である。設置部１３１において、凸部１３２は仮設防護柵９１及び１０１と同様に形成される。凹部１３３は、上端部が設置部１３１の上面部に至っていない。凹部１３３は、縦方向となる上下寸法において前記凸部が余裕をもって嵌入することができる寸法であることが好ましく、前記凹部の横方向となる幅寸法は前記凸部の横寸法よりやや大きめであればよい。また、前記凹部の縦方向となる上下寸法は、前記凸部の縦方向の２倍以上の長さであることが好ましい。
【０１０４】
設置部１３１の場合、先行して設置した仮設防護柵の凹部が形成された側の端部近接の上方側に、次に設置する仮設防護柵を吊り上げ、その後、凸部の位置が先行して設置した仮設防護柵の凹部の上端部の位置と一致する位置にまで降下させ、その位置で水平方向に移動させ、先行して設置した仮設防護柵の凹部の上端部側に凸部の先端側を嵌入する。嵌入後、斜め下方に降下させ、或いは水平移動させ、凸部の先端部を凹部の最奥部の下端部位置へ到達させる。こうして、先行して設置した仮設防護柵の凹部の下端部に、次に設置する仮設防護柵の凸部が嵌入され、相互に連結されることになる。
【０１０５】
設置部としてコンクリート部材を使用する場合、設置部の短手方向の長さを３００ｍｍ乃至８００ｍｍ、設置部の高さを１００ｍｍ乃至３００ｍｍ、仮設防護柵の高さを５００ｍｍ乃至１，０００ｍｍとすることが好ましい。設置部としてコンクリート部材を使用しても、防護側壁部として鋼製部材を使用しているので、従来のコンクリート製仮設防護柵に比べて軽量であり、連結プレートや凸部と凹部により設置部を連結し、連結プレートとボルト若しくはピン、又はボルト形状突起若しくはピン形状突起により防護側壁部を連結しているので、仮設防護柵相互が強固に連結されるため使用時の強度にも優れる。また、簡易に連結と連結の解除がおこなえるため、迅速に設置及び撤去作業を行うことができる。設置部の連結を凹部と凸部の嵌合により行うと、設置部の連結を設置場所の片側の工事エリアからの作業のみで行うことができ、連結手段が表面側に露出しないので美観上優れる。
【０１０６】
図２３は、上述したゴム材又は樹脂材の板又はシートとスパイクピンを併用して、ゴム材又は樹脂材にスパイクピンを埋め込んだ接地部材を、コンクリート部材からなる設置部１４１の下面側に取り付けた例を示す図である。設置部がコンクリート部材から構成される場合も、上述した設置部が鋼板から構成される場合と同様の接地部材を使用することができる。図２４（ａ）は、ゴム材又は樹脂材の板又はシートとスパイクピンを併用した接地部材を示す模式図であり、図２４（ｂ）は、ゴム材又は樹脂材の板又はシート中のスパイクピンの状態を示すために前記接地部材の断面を示す模式図である。ゴム材の板１４４−１にスパイクピン１４４−２が埋め込まれている。スパイクピンがゴム材又は樹脂材の板又はシートに埋め込まれる状態はスパイクピンが、ゴム材又は樹脂材の板又はシートから容易に脱離しなければ特に制限されるものではないが、スパイクピンの先端（路面側）がゴム材の下面（路面側）とほぼ揃った位置にあることが、ゴム材による摩擦抵抗のみでなく、スパイクピンの路面との引っかかりによる摩擦抵抗を効果的に利用する観点から好ましい。スパイクピンの設置部側の端部の位置も特に制限されるものではないが、図２４（ｂ）ではスパイクピン１４４−２の設置部側の端部がゴム材１４４−１の上面（設置部側）とほぼ揃った位置となるように埋め込まれている。このようにスパイクピンを埋め込むためには、例えば、ゴム材の上面（設置部側）にスパイクピンの設置部側のフランジ部分が収まる大きさの凹部１４４−３を設け、そこにスパイクピンを打ち込むことができる。図２４（ｃ）は、スパイクピン１４４−２の設置部側の端部がゴム材１４４−１の中に位置する場合を示している。このようにスパイクピンを埋め込むためには、例えば、まずゴム材にゴム材の上面に達しない位置まで穴を開け、先端が開閉可能であり閉じている場合は先端が尖った状態になる工具を前記穴に挿入し、挿入後先端を開いてゴム材の穴を押し広げ、そこにスパイクピンを挿入する。スパイクピンの挿入後、前記工具を引き抜くとゴム材が弾性により元の形状に戻ろうとするため、スパイクピンが周囲のゴム材により締められてしっかりと固定される。図２４（ｄ）は、図２４（ｃ）の接地部材が路面１４５と接する状態を模式的に示した図である。ゴム材はその弾性により路面１４５の表面の凹凸形状に応じて変形するため路面１４５との接触を保つ。また、スパイクピンもスパイクピンの設置部側端部とゴム材上面との間に存在するゴムの弾性により路面１４５の表面の凹凸形状に応じて上下方向に動くことができるため、路面１４５との接触を保つことができる。このため、大きな摩擦抵抗を得ることができる。また、コンクリート部材からなる設置部１４１の下面側に、接地部材としてスパイクピンのみを取り付けてもよい。ゴム材又は樹脂材の板又はシートにスパイクピンを埋め込んだ接地部材は、摩擦抵抗を大きくする効果が高いので、路面上の移動を防止する必要がある構造物に好適に使用することができる。図３１は、設置部及び防護側壁部がコンクリート部材で構成され、本発明の仮説防護柵と同様の大きさを有する仮設防護柵１６１に、樹脂材の板又はシートにスパイクピンを埋め込んだ前記接地部材１４４を使用した使用例を示す図である。
【０１０７】
図２５は、本発明における接地部材の他の実施形態を示す図であり、設置部の下面に突起形状物として路面と接する側に凹凸構造を設けた構造体を設けた例である。（ａ）は、ゴム材１４２−１及びプレート１４２−２からなる接地部材をボルト１４２−３で設置部１４２の下面に取り付けた例を側面から見た図である。また、（ｂ）は上記設置部１４２及び接地部材を正面から見た図である。プレート１４２−２は鋼製の板を略コの字状に折り曲げたものであり、中央部をボルト１４２−３によりゴム材１４２−１を設置部１４２の下面との間に挟んで、設置部１４２に固定されている。プレート１４２−２の端面（路面１４５と接する面）は平坦でもよいが、図２５では、路面１４５と接する面に略三角波形状の凹凸が形成されているため、路面とのひっかかりにより摩擦抵抗を大きくできる。プレート１４２−２には、設置部１４２の下面にボルトで取り付けるためのボルト挿入口が設けられている。プレート１４２−２の取り付け方向は特に制限されるものではないが、仮設防護柵は車両が衝突した場合、正面側から押されて裏面側に移動するため、この移動を抑えるために、プレート１４２−２の長手方向が仮設防護柵の長手方向と一致するように、あるいは車両が斜め方向から衝突してくることが予想される場合は、プレート１４２−２の長手方向が衝突してくる車両にできるだけ正対するように、取り付けることが好ましい。図２５では、プレート１４２−２として鋼製の板を略コの字状に折り曲げたものを使用しているが、鋼製の板を略Ｌ字状に折り曲げて、一方の面を設置部との固定面としてもよい。プレート１４２−２は、設置部１４２に直接取り付けてもよいが、図２５のようにゴム材１４２−１を介して取り付けると、ゴム材１４２−１の弾性によりプレート１４２−２が路面１４５の表面の凹凸形状に応じて上下方向に動くことができるため、路面１４５との接触を好適に保つことができ、大きな摩擦抵抗を得ることができる。また、ゴム材１４２−１を挟む場合、プレート１４２−２がゴム材１４２−１と接する面の大きさはゴム材１４２−１の大きさと同じでもよく（図（ｂ）右側）、ゴム材１４２−１の大きさより小さくてもよく（図（ｂ）左側）、ゴム材１４２−１の大きさより大きくてもよい。図２５では、凹凸構造を設けた構造体として板状のものを用いているが、厚みのある柱状のものをその側面が設置部の下面に接するように取り付けてもよい。路面と接する側に凹凸構造を設けた構造体としては、設置部が鋼板である場合もコンクリート部材である場合も同様のものを使用することができる。（ｃ）は、断面コ字状部材であるプレート１４２−２を設置部１４２に取り付けた状態を設置部１４２の下面側から見た図（底面図）である。図２５（ａ）〜（ｃ）では、プレート１４２−２の端面がプレート１４２−２の長手方向にあるため、プレート１４２−２の長手方向が仮設防護柵の長手方向と一致するように、設置部１４２の下面に取り付けられている。断面コ字状部材とは、断面がコ字の形状をしている部材をいうが、本願明細書において、断面コ字状部材の開放部を下向きにしたときに、上方になる部分を上部、上部の両端から下向きに伸びる部分を側部といい、側部の外側の面を側面という。上部と側部との間の角度は、路面との間に十分な摩擦抵抗を生じることができれば特に制限されないが、１３５°〜４５°が好ましく、１１０°〜７０°がより好ましく、１００°〜８０°がより好ましく、略９０°がより好ましく、９０°が更に好ましい。ここで、略９０°とは、９０°からプラスマイナス５°程度ずれた範囲内の角度のことである。図２５（ｃ）は、プレート１４２−２を仮設防護柵の長手方向に２列で取り付けた例である。プレート１４２−２の取り付け個数や方向は特に制限されるものではないが、仮設防護柵は車両が衝突した場合、正面側から押されて裏面側に移動するため、この移動を抑えるために、プレート１４２−２の端面が仮設防護柵の長手方向に並ぶように、すなわちプレート１４２−２の側面１４２−４が仮設防護柵の長手方向に並ぶようにすることが好ましい。あるいはプレートの側面１４２−４が、衝突してくる車両にできるだけ正対するように、取り付けることが好ましい。
【０１０８】
図２６も、図２５と同様に断面コ字状部材として鋼製の板を略コの字状に折り曲げたプレート１４２−５を使用した例であるが、接地部材の突起を設置部１４２の短手方向の両端に設けた例である。（ａ）は、接地部材としてプレート１４２−５をボルト１４２−３で設置部１４２の下面に取り付けた例を側面から見た図であり、（ｂ）は上記設置部１４２及び接地部材を正面から見た図であり、（ｃ）はプレート１４２−５を設置部１４２に取り付けた状態を設置部１４２の下面側から見た図（底面図）である。プレート１４２−５は、両方の側面１４２−６が設置部１４２の短手方向の両端にそれぞれ位置するように形成されている。このため、突起部であるプレート１４２−５の側部は、設置部１４２の短手方向の両端に位置するようになるため、車両衝突時に仮設防護柵がより転倒しにくくなる。プレート１４２−５は、プレート１４２−５の上部１４２−７の幅（側面と側面との間の長さ）を設置部１４２の短手方向の長さとしているので、１つのプレートにより、設置部１４２の短手方向の両端の位置にプレートの側部、すなわち突起を設けることができ、設置部１４２の短手方向の両端の位置でプレートの端面と路面１４５とが接するようにできる。また、図２６では、プレート１４２−５と設置部１４２との間にゴム材を配置していないが、両者の間にゴム材を配置してもよい。また、設置部１４２の短手方向の両端に突起を設けるには、１つのプレートにより設置部１４２の両端に突起を設けるのでなく、各端部に別々のプレートにより突起を設けてもよい。例えば、１つのプレート１４２−２を側部が設置部１４２の端部に位置するように配置し、別のプレート１４２−２を側部が設置部１４２の他の端部に位置するように配置してもよい。図２７は、接地部材として断面Ｌ字状部材を使用した例であり、断面Ｌ字状部材として鋼製の板を略Ｌの字状に折り曲げたプレート１４２−８を使用した例である。断面Ｌ字状部材とは、断面がＬ字の形状をしている部材をいうが、本願明細書において、断面Ｌ字状部材の一方の面を設置部の下面に取り付けたときに下向きに伸びる部分を側部といい、設置部に取り付ける部分を上部というが、上部と側部との間の傾きは、断面コ字状部材の場合と同じである。（ａ）は、接地部材としてプレート１４２−８をボルト１４２−３で設置部１４２の下面に取り付けた例を側面から見た図であり、（ｂ）は上記設置部１４２及び接地部材を正面から見た図であり、（ｃ）はプレート１４２−８を設置部１４２に取り付けた状態を設置部１４２の下面側から見た図（底面図）である。プレート１４２−８には、設置部１４２の下面にボルトで取り付けるためのボルト挿入口が設けられている。プレート１４２−８は、片方の側部のみを有する点が、断面コ字形状のプレート１４２−５と異なるが、プレート１４２−８を設置部１４２の短手方向の片方の端部に側面１４２−９が位置するように取り付け、別のプレート１４２−８を設置部１４２の短手方向の他方の端部に側面１４２−９が位置するように取り付けることにより、断面コ字形状のプレート１４２−５を使用する場合と同様の効果を奏することができる。また、プレート１４２−８を使用する場合は、プレート１４２−５を使用する場合と異なり、設置部１４２の短手方向の端部での側面１４２−８の位置をずらすことができる。
【０１０９】
本発明の接地部材は、仮設防護柵の下面に取り付けるための接地部材である。本発明の接地部材は、スパイクピン状、断面コ字状又は断面Ｌ字状をした部材であり、それぞれスパイクピン状の先端部、断面コ字状の端面、断面Ｌ字状の端面が路面と接するように仮設防護柵の下面に取り付けられる。前記先端部又は端面は、凹凸形状をしていてもよく、凹凸形状としては、例えば、略三角波形状、略矩形波形状、略台形波形状、略円弧波形状、略正弦波形状、略鋸歯状波形状等を挙げることができる。本発明の接地部材は、仮設防護柵の下面に取り付けることができ、車両衝突時に路面との間で摩擦力を発生させるものであれば、その材質は特に制限されないが、仮設防護柵を設置したときに変形せず、車両衝突時の衝撃にもある程度耐えられることから鋼製が好ましい。本発明の接地部材は、例えば、ボルトで仮設防護柵の下面に取り付けることができ、取り付けるためのボルト挿入口を有することができる。本発明の接地部材の詳細な形状、大きさ、使用方法等は上記で述べたとおりである。本発明の接地部材を取り付ける仮設防護柵の設置部は、鋼製でもコンクリート製でもよい。また、本発明の接地部材を取り付ける仮設防護柵の防護側壁部は、鋼製でもコンクリート製でもよい。本発明の接地部材を取り付ける仮設防護柵は、設置部と防護側壁部がコンクリート製でもよく、例えば、単スロープ型、フロリダ型、Ｌ型等の仮設防護柵を挙げることができる。本発明の接地部材を取り付ける仮設防護柵は、このように設置部と防護側壁部が一体となったコンクリート製でもよいが、コンクリート製の設置部にガードレールを取り付けたものや、Ｈ型鋼や鋼板を取り付けたものでもよい。また、設置部が鋼製であってもよい。下面に接地部材を取り付けることができる仮設防護柵であれば、取り付ける仮設防護柵の種類は限定されない。また、本発明の仮設防護柵は、本発明の接地部材を下面に取り付けたものであれば、仮設防護柵の種類は限定されない。図３１並びに図３２（ａ）〜（ｃ）は、フロリダ型の仮設防護柵に本発明の接地部材を取り付けた状態を側面から見た模式図である。
【０１１０】
図２８は、仮設防護柵８１及び１０１と同じ防護側壁部を備え、設置部１２１と同様にコンクリート部材からなり設置部１２１と同様の設置部連結プレート１２２を有し、加えて他の連結プレート１５３を有する設置部１５２を備えた仮設防護柵１５１を示す図である。図２８は、仮設防護柵１５１を連結した状態を説明するための図であり、仮設防護柵１５１を連結した状態を側面から見て、内部の連結部の様子が分かるように模式的に示した図である。図２９（ａ）は、仮設防護柵１５１を連結させる様子を正面から見た図であり、説明のために内部の連結部の様子を模式的に示している。図２９（ｂ）は、仮設防護柵１５１を連結させる様子を側面から見た図であり、説明のために内部の連結部の様子を模式的に示している。図２９（ｃ）は、仮設防護柵１５１を連結した状態を正面から見た図であり、説明のために内部の連結部の様子を模式的に示している。図２９（ｄ）は、仮設防護柵１５１を連結した状態を側面から見た図であり、説明のために内部の連結部の様子を模式的に示している。図３０（ａ）は、仮設防護柵１５１を連結させる様子を上から見た図であり、説明のために内部の連結部の様子を模式的に示している。図３０（ｂ）〜（ｄ）は、仮設防護柵１５１を連結した状態を上から見た図であり、説明のために内部の連結部の様子を模式的に示している。（ｂ）は直線状に連結した例であり、（ｃ）及び（ｄ）は曲線状に連結した例である。
【０１１１】
連結プレート１２２は設置部１２１の場合と同様に、埋め込まれたボルト１２５を連結プレート１２２のボルト挿入口に挿入し、ナット１２６で締めることにより固定する。設置部１５１では、設置部１２１の場合における、剛性突出部材よりなる凸部１２７とこれと嵌合できる凹部１２８の代わりに、設置部１５１の下部に連結プレート１５３を備えている。連結プレート１５３は、設置部１５１の下部にボルト１５６で固定され、設置部１５１の下部の端部から突出した部分にピン形状突起１５４が上向きに設けられている。また、連結プレート１５３が固定された端部と反対側の端部に、ピン形状突起１５４が挿入され嵌合されるピン挿入口１５５が設けられている。図２９（ａ）に示すように、設置部１５１の上部に設置部連結プレート１２２が固定され、下部にピン挿入口１５５が設けられた端部を、設置部１５１’の上部にボルト形状突起１２５が設けられ、下部に設置部連結プレート１５３が固定された端部の近傍上部からほぼ垂直に降下させることにより、設置部連結プレート１２２のボルト挿入口にボルト形状突起１２５が挿入され、ピン挿入口１５５にピン形状突起１５４が挿入嵌合される。この状態でボルト形状突起１２５をナット１２６で締めることにより、３点で強固に連結される。
【０１１２】
また、図３０（ａ）に示されるように、ボルト挿入口及び／又はピン挿入口を円形や正方形でなく、一方方向の長さが長い形状、例えば、楕円形や長方形とすることにより、ボルトを締める位置やピンを嵌合させる位置を、仮設防護柵の連結状態に合わせてずらすことができる。図３０（ｂ）は、仮設防護柵を直線状に連結した例であり、ボルト及びピンは各挿入口の中央部で螺合又は嵌合されている。図３０（ｃ）及び（ｄ）は、仮設防護柵を曲線状に連結した例であり、ボルト及びピンは各挿入口の左端部又は右端部で螺合又は嵌合されている。曲線状に連結する場合は、設置部の端部の側面（他の設置部の端部と向かい合う面）において、側面の端部が隣接する側面の端部とぶつからないようにするために、側面の形状を、例えば台形状や円弧状など中央部が両端部より突出した形状、又は設置部の側面と正面との間の角度及び側面と裏面との間の角度の少なくとも一方を９０度超とすることが好ましい。また、防護側壁部の連結においても、ボルト形状突起又はピン形状突起を設けた連結プレートを使用し、防護側壁部に設けたボルト又はピン挿入口に挿入して連結することができる。図２８は設置部がコンクリート部材からなる場合を示しているが、設置部が鋼材からなる場合も同様に、ボルト形状突起又はピン形状突起を設けた連結プレートを使用し、防護側壁部や設置部に設けたボルト又はピン挿入口に挿入して連結することができる。
【産業上の利用可能性】
【０１１３】
本発明の仮設防護柵は、仮設防護柵としての十分な強度を有しながら従来に比べて軽量であり、簡易に、しかも強固に仮設防護柵相互を連結できるので、車両の衝突に十分に耐えることができ、設置が容易である。また、連結の解除も容易であるので、仮設防護柵の撤去も容易である。そのため、道路工事、特に高速道路での工事等の、工事区域を迅速に規制、解除する必要がある工事において好適に使用できる。
【符号の説明】
【０１１４】
１、２１、２１’、３１、４１、４１’、６１、７１、８１、９１、１０１、１５１．．．仮設防護柵
２、２−１、２−２、２２ａ、２２ｂ、２２ａ’、２２ｂ’、３２ａ、３２ｂ、３２ｃ、４２ａ、４２ｂ、４２ｃ、４２ａ’、４２ｂ’、４２ｃ’、７１−１、８１−１、９１−１、１０１−１．．．防護側壁部
３、３−１、３−２、２３ａ、２３ｂ、２３ａ’、２３ｂ’、３３、４３、４３’、７１−２、８１−２、９１−２、１０１−２、１５２．．．設置部
４、２４ａ、２４ｂ、２４ａ’、２４ｂ’、３４、４４、４４’、６４．．．接地部材
５                  間欠部
６                  ずれ止めアンカー
７                  取着部材
８                  柱状体
９                  遮蔽材
１０                凹凸部
１１                テーパー部
１２                ボルト挿入口
１３                ボルト挿通口
１４                連結プレート
１５                ボルト
１６                ナット
１６’              座金
１７                切除部
１８                リブ
１９                スリット
１９’              スリット
５０                防護側壁部連結プレート
５１                設置部連結プレート
５２、５２’        ボルト形状突起
５３、５３’        ピン形状突起
５４                ボルト挿入口
５５                ピン挿入口
６０                リンギ
６２                溶接金網
６３                鋼棒
７２、９２          鋼板
７３、９３          溝形鋼
７４、８４          設置部連結プレート
７５、８５          ボルト挿入口
７６、８６          ボルト
７７、８７          切欠き
７８，８８          ボルト挿入口
８２、１０２        溶接金網
８３、１０３        鋼棒
９４、１０４        凸部（剛性突出部材）
９７、１０７        凹部
１１０              防護側壁部連結プレート
１１１              ボルト挿入口
１２１、１２１’    設置部
１２２              設置部連結プレート
１２２−１          ボルト挿入口
１２３              ボルト
１２４              ナット
１２５              ボルト
１２６              ナット
１２７              凸部（剛性突出部材）
１２８              凹部
１３１              設置部
１３２              凸部（剛性突出部材）
１３３              凹部
１４１              設置部
１４２              設置部
１４２−１          ゴム材
１４２−２          プレート
１４２−３          ボルト
１４２−４          プレートの側面
１４２−５          プレート
１４２−６          プレートの側面
１４２−７          プレートの上部
１４２−８          プレート
１４２−９          プレートの側面
１４２−１０        プレートの上部
１４４              接地部材
１４４−１          ゴム材
１４４−２          スパイクピン
１４４−３          凹部
１４５              路面
１４６              スパイクピン挿入用工具
１５３              設置部連結プレート
１５４              ピン形状突起
１５５              ピン挿入口
１５６              設置部連結プレート固定ボルト
１６１              仮設防護柵
【図１】
2019203372.tif 000003
【図２】
2019203372.tif 000004
【図３】
2019203372.tif 000005
【図４】
2019203372.tif 000006
【図５】
2019203372.tif 000007
【図６】
2019203372.tif 000008
【図７】
2019203372.tif 000009
【図８】
2019203372.tif 000010
【図９】
2019203372.tif 000011
【図１０】
2019203372.tif 000012
【図１１】
2019203372.tif 000013
【図１２】
2019203372.tif 000014
【図１３】
2019203372.tif 000015
【図１４】
2019203372.tif 000016
【図１５】
2019203372.tif 000017
【図１６】
2019203372.tif 000018
【図１７】
2019203372.tif 000019
【図１８】
2019203372.tif 000020
【図１９】
2019203372.tif 000021
【図２０】
2019203372.tif 000022
【図２１】
2019203372.tif 000023
【図２２】
2019203372.tif 000024
【図２３】
2019203372.tif 000025
【図２４】
2019203372.tif 000026
【図２５】
2019203372.tif 000027
【図２６】
2019203372.tif 000028
【図２７】
2019203372.tif 000029
【図２８】
2019203372.tif 000030
【図２９】
2019203372.tif 000031
【図３０】
2019203372.tif 000032
【図３１】
2019203372.tif 000033
【図３２】
2019203372.tif 000034